(57)【特許請求の範囲】
【請求項１】
建物の天井に設置される設備機器において、
建物の天井に入れられる本体部の上面部に、支点軸を軸に回転可能に支持され、外部よりの電気配線が接続される配線接続口が、前記支点軸を軸とした回転で、前記本体部の一方の側面側または一方の側面側と反対側の他方の側面側に向けられる端子台と、
前記本体部の一方の側面側と他方の側面側の双方またはどちらか一方の側から操作可能に設けられた操作部材と、
前記端子台の前記支点軸を軸にした回転を、前記操作部材により規制する端子台固定部材とを備え、
前記端子台固定部材は、建物の天井に設置された前記本体部の向きに合わせて、前記本体部の一方の側面側または他方の側面側から前記操作部材が操作されると、前記端子台を前記支点軸を軸に回転可能とすることを特徴とする設備機器。
【請求項２】
前記端子台固定部材は、前記本体部の上面部に配置される上板部の一方の端部に、前記本体部の一方の側面に沿った第１の側板部を有し、前記上板部の他方の端部に、前記本体部の他方の側面に沿った第２の側板部を有すると共に、前記端子台に形成された固定ピンが嵌められて、前記端子台の回転動作を規制する固定穴が前記上板部に形成され、
前記操作部材は、前記本体部の一方の側面に締結されて、前記端子台固定部材の前記第１の側板部を前記本体部に固定する締結部材と、前記本体部の他方の側面に締結されて、前記端子台固定部材の前記第２の側板部を前記本体部に固定する締結部材で、それぞれの前記締結部材は、建物の天井に設置された前記本体部の向きに合わせて、前記本体部の一方の側面側及び他方の側面側から操作され、
前記締結部材を解除した側の前記第１の側板部または前記第２の側板部を変位させることで前記上板部を変位させ、前記端子台の前記固定ピンが前記固定穴に挿抜されることを特徴とする請求項１記載の設備機器。
【請求項３】
前記端子台固定部材は、前記固定ピンに対して前記固定穴が挿抜される方向に延びる長穴が、前記第１の側板部と前記第２の側板部に形成され、
一方の前記締結部材は、前記端子台固定部材の前記第１の側板部に形成された前記長穴に挿入されて、前記本体部の一方の側面に締結され、他方の前記締結部材は、前記端子台固定部材の前記第２の側板部に形成された前記長穴に挿入されて、前記本体部の他方の側面に締結され、
一方または他方の前記締結部材を緩めた側の前記第１の側板部または前記第２の側板部を、前記長穴に沿って変位させることで前記上板部を変位させ、前記端子台の前記固定ピンが前記固定穴に挿抜されることを特徴とする請求項２記載の設備機器。
【請求項４】
前記端子台固定部材は、前記本体部の上面部に配置される上板部の一方の端部に、前記本体部の一方の側面に沿った第１の側板部を有し、前記上板部の他方の端部に、前記本体部の他方の側面に沿った第２の側板部を有すると共に、前記端子台に形成された固定ピンの軌跡に沿った円弧状で、前記固定ピンが嵌められる固定長穴が前記上板部に形成され、
前記操作部材は、前記本体部の一方の側面に締結されて、前記端子台固定部材の前記第１の側板部を前記本体部に固定する締結部材と、前記本体部の他方の側面に締結されて、前記端子台固定部材の前記第２の側板部を前記本体部に固定する締結部材で、それぞれの前記締結部材は、建物の天井に設置された前記本体部の向きに合わせて、前記本体部の一方の側面側及び他方の側面側から操作され、
前記第１の側板部を固定する前記締結部材または前記第２の側板部を固定する前記締結部材を解除して、前記端子台の前記固定ピンを前記固定長穴に沿って移動可能とすることを特徴とする請求項１記載の設備機器。
【請求項５】
前記端子台固定部材は、前記本体部の一方の側面側と他方の側面側の間に向けられる前記端子台の前記配線接続口を覆う誤接続防止壁が、前記上板部に形成されたことを特徴とする請求項２、３または４記載の設備機器。
【請求項６】
前記端子台固定部材は、前記端子台の前記配線接続口が前記本体部の他方の側面側に向けられると、前記端子台に形成された第１の固定片部と対向し、前記端子台の前記配線接続口が前記本体部の一方の側面側に向けられると、前記端子台に形成された第２の固定片部と対向する位置で、前記本体部の他方の側面側に形成された端子台固定片部を備え、
前記操作部材は、前記端子台固定片部に前記本体部の他方の側面の側から挿入され、前記端子台の向きに応じて前記第１の固定片部または前記第２の固定片部に締結される締結部材で、
前記配線接続口が前記本体部の一方の側面側に向けられて、前記締結部材が前記端子台の前記第２の固定片部に締結されている前記端子台を、建物の天井に設置された前記本体部の向きに合わせて、前記本体部の他方の側面側からの操作で前記締結部材を前記第２の固定片部から外して回転可能とし、前記配線接続口を前記本体部の他方の側面側に向けた前記端子台の前記第１の固定片部に、前記本体部の他方の側面側からの操作で前記締結部材が締結されることを特徴とする請求項１記載の設備機器。
【請求項７】
前記端子台固定部材は、前記本体部の一方の側面側に形成される第１の端子台固定片部と、前記第１の端子台固定片部に着脱される第１のストッパを備えると共に、前記本体部の他方の側面側に形成される第２の端子台固定片部と、前記第２の端子台固定片部に着脱される第２のストッパを備え、
前記操作部材は、前記第１の端子台固定片部に前記本体部の一方の側面の側から挿入され、前記第１のストッパを固定する締結部材と、前記第２の端子台固定片部に前記本体部の他方の側面の側から挿入され、前記第２のストッパを固定する締結部材で、
建物の天井に設置された前記本体部の向きに合わせて、前記本体部の一方の側面側または他方の側面側からの操作で前記締結部材を外し、前記第１のストッパまたは前記第２のストッパを外すことで、前記端子台を回転可能とすることを特徴とする請求項１記載の設備機器。
【請求項８】
建物の天井に設置される設備機器において、
建物の天井に入れられる本体部の上面部に、支点軸を軸に回転可能に支持され、外部よりの電気配線が接続される配線接続口が、前記支点軸を軸とした回転で、前記本体部の一方の側面側または一方の側面側と反対側の他方の側面側に向けられる端子台と、
前記本体部の一方の側面側と他方の側面側の双方またはどちらか一方の側から操作可能に設けられた操作部材を有し、建物の天井に設置された前記本体部の向きに合わせて、前記本体部の一方の側面側または他方の側面側から前記操作部材が操作されると、前記端子台を前記支点軸を軸に回転させる端子台移動部材とを備えたことを特徴とする設備機器。
【発明の詳細な説明】
【技術分野】
【０００１】
本発明は、建物の天井に設置され、外部より電気配線が接続される設備機器に関する。
【背景技術】
【０００２】
従来から、住宅等の建物の天井に、空調装置や換気扇等の設備機器が配置される。例えば、浴室の天井には、浴室の暖房や換気等を行う浴室換気乾燥暖房機が設置されている。
【０００３】
浴室換気乾燥暖房機は、空気の吸込口や吹出口が形成されたフロントパネルは浴室の天井パネルに露出させ、ファン等が実装された本体部は、天井パネルに形成した開口部から天井裏に入り込ませる形態で、浴室の天井に設置される。
【０００４】
このような浴室換気乾燥暖房機等の設備機器では、設備機器を操作するためのリモートコントロール装置からの電気配線や電源線等を接続する端子台が備えられている（例えば、特許文献１参照）。
【０００５】
例えば、浴室換気乾燥暖房機では、端子台は筐体の上部に備えられ、端子台の取付方向は、予め決められた向きで固定されている。
【０００６】
【特許文献１】特開２００１−２５４９８２号公報
【発明の開示】
【発明が解決しようとする課題】
【０００７】
浴室換気乾燥暖房機等の設備機器は、天井裏の高さが低い場所に設置される場合がある。一方、リモートコントロール装置からの電気配線や電源線等、設備機器に対する外部よりの電気配線の接続作業は、天井に備えられた点検口から行われる場合が多い。
【０００８】
しかし、従来の設備機器では、端子台は予め決められた向きで固定されているので、設備機器の設置方向によっては、電気配線の接続作業が行い難い向きに端子台が配置されてしまい、電気配線の接続作業が困難になって、施工性が著しく悪化するという問題があった。
【０００９】
本発明は、このような課題を解決するためになされたもので、設置場所への設置後に、配線の接続作業に適した配置で端子台を使用可能な状態にできる設備機器を提供することを目的とする。
【課題を解決するための手段】
【００１０】
上述した課題を解決するため、本発明は、建物の天井に設置される設備機器において、建物の天井に入れられる本体部の上面部に、支点軸を軸に回転可能に支持され、外部よりの電気配線が接続される配線接続口が、支点軸を軸とした回転で、本体部の一方の側面側または一方の側面側と反対側の他方の側面側に向けられる端子台と、本体部の一方の側面側と他方の側面側の双方またはどちらか一方の側から操作可能に設けられた操作部材と、端子台の支点軸を軸にした回転を、操作部材により規制する端子台固定部材とを備え、端子台固定部材は、建物の天井に設置された本体部の向きに合わせて、本体部の一方の側面側または他方の側面側から操作部材が操作されると、端子台を支点軸を軸に回転可能とすることを特徴とする。
【００１１】
本発明の設備機器では、本体部を建物の天井に設置した後に、天井に設けられている点検口に向いた側の操作部材を操作することで、端子台は支点軸を軸に回転可能となり、配線が接続される配線接続口が点検口を向くように、端子台を回転させることができる。
【００１２】
また、本発明は、建物の天井に設置される設備機器において、建物の天井に入れられる本体部の上面部に、支点軸を軸に回転可能に支持され、外部よりの電気配線が接続される配線接続口が、支点軸を軸とした回転で、本体部の一方の側面側または一方の側面側と反対側の他方の側面側に向けられる端子台と、本体部の一方の側面側と他方の側面側の双方またはどちらか一方の側から操作可能に設けられた操作部材を有し、建物の天井に設置された本体部の向きに合わせて、本体部の一方の側面側または他方の側面側から操作部材が操作されると、端子台を支点軸を軸に回転させる端子台移動部材とを備えたことを特徴とする。
【００１３】
本発明の設備機器では、本体部を建物の天井に設置した後に、天井に設けられている点検口に向いた側の操作部材を操作することで、端子台は支点軸を軸に回転し、配線が接続される配線接続口が点検口を向くように、端子台を回転させることができる。
【発明の効果】
【００１４】
本発明の設備機器によれば、建物の天井に設置した後に、外部からの配線を接続する工程で、配線の接続作業に適した向きに端子台を回転させることができ、施工性を向上させることができる。
【発明を実施するための最良の形態】
【００１５】
以下、図面を参照して本発明の設備機器の実施の形態としての空調装置の一例である浴室換気乾燥暖房機について説明する。
【００１６】
＜第１の実施の形態の浴室換気乾燥暖房機の構成例＞
図１及び図２は、第１の実施の形態の浴室換気乾燥暖房機の一例を示す斜視図、図３は、第１の実施の形態の浴室換気乾燥暖房機の一例を示す平面図である。また、図４及び図５は、第１の実施の形態の浴室換気乾燥暖房機の設置例を示す平面図である。
【００１７】
第１の実施の形態の浴室換気乾燥暖房機１Ａは、図示しないファンとヒータ等を有した本体部１０Ａを備える。浴室換気乾燥暖房機１Ａは、図４及び図５に示すように、浴室の天井１００に形成された開口部１０１から、本体部１０Ａが天井裏に入れられ、空気の吸込口や吹出口が形成されたフロントパネル１１が、浴室の天井１００に露出される。
【００１８】
浴室換気乾燥暖房機１Ａは、本体部１０Ａに取り付けられたダクトジョイント１２に、排気ダクト１０２が接続される。排気ダクト１０２は、浴室が設置される建物の構造等によって配管経路が決められる。また、浴室の天井１００には、浴室換気乾燥暖房機１Ａの設置作業や点検等で利用される点検口１０３が開口している。
【００１９】
このため、浴室換気乾燥暖房機１Ａは、建物や浴室の構成に応じて、図４に示すように、本体部１０Ａの第１の側面１０Ｌを点検口１０３に向ける配置か、図５に示すように、本体部１０Ａの第１の側面１０Ｌと反対の第２の側面１０Ｒを点検口１０３に向ける配置を選択して、浴室の天井１００に設置される。
【００２０】
浴室換気乾燥暖房機１Ａは、外部からの配線２００が接続される端子台２Ａを、本体部１０Ａの上面部１３に備える。端子台２Ａは、配線接続口２０を露出させてカバー部材２１で覆われ、配線接続口２０が露出する側と反対の一方の端部側が、支点軸２２を軸にして回転可能に本体部１０Ａの上面部１３に取り付けられる。また、端子台２Ａは、他方の端部側に上方に突出した固定ピン２３を備える。
【００２１】
浴室換気乾燥暖房機１Ａは、端子台２Ａの回転を規制する端子台固定板３Ａを備える。端子台固定板３Ａは端子台固定部材の一例で、長方形の金属板材の長手方向の両端が、下方に向けて折り曲げられた形状で、上板部３０Ｕの長手方向の一方の端部に第１の側板部３０Ｌが形成され、他方の端部に第２の側板部３０Ｒが形成される。
【００２２】
端子台固定板３Ａは、上板部３０Ｕが、本体部１０Ａの第１の側面１０Ｌから第２の側面１０Ｒまでの長さと略同等の長さを有し、第１の側板部３０Ｌと第２の側板部３０Ｒの間に本体部１０Ａを挟む形態で、本体部１０Ａの上面部１３に取り付けられる。端子台固定板３Ａは、第１の側板部３０Ｌが本体部１０Ａの第１の側面１０Ｌに見え、第２の側板部３０Ｒが第２の側面１０Ｒに見える。
【００２３】
端子台固定板３Ａは、上板部３０Ｕに本例では３個の固定穴３１Ｌ，３１Ｒ，３１Ｃを備える。固定穴３１Ｌ，３１Ｒ，３１Ｃは、端子台２Ａに設けられた固定ピン２３が嵌る直径で開口し、支点軸２２を軸とした端子台２Ａの回転による固定ピン２３の軌跡上に配置される。
【００２４】
固定穴３１Ｃは、本体部１０Ａに取り付けられた端子台固定板３Ａにおいて、本体部１０Ａの中間付近となる位置で上板部３０Ｕに形成される。また、固定穴３１Ｌは、本体部１０Ａの第１の側面１０Ｌ側となる位置で上板部３０Ｕに形成され、固定穴３１Ｒは、第２の側面１０Ｒ側となる位置で上板部３０Ｕに形成される。
【００２５】
端子台２Ａは、支点軸２２を軸に回転させることで、固定ピン２３が端子台固定板３Ａの固定穴３１Ｃか固定穴３１Ｌか固定穴３１Ｒの何れかに嵌められる。端子台２Ａは、図３に実線で示すように、固定ピン２３が端子台固定板３Ａの固定穴３１Ｃに嵌められると、配線接続口２０が本体部１０Ａの中間に向けられる。また、端子台２Ａは、図４に示すように、固定ピン２３が端子台固定板３Ａの固定穴３１Ｌに嵌められると、配線接続口２０が第１の側面１０Ｌ側に向けられる。更に、端子台２Ａは、図５に示すように、固定ピン２３が端子台固定板３Ａの固定穴３１Ｒに嵌められると、配線接続口２０が第２の側面１０Ｒ側に向けられる。
【００２６】
端子台固定板３Ａは、第１の側板部３０Ｌに、上下方向に長い長穴３２Ｌが形成される。また、端子台固定板３Ａは、第２の側板部３０Ｒに、上下方向に長い長穴３２Ｒが形成される。
【００２７】
浴室換気乾燥暖房機１Ａは、端子台固定板３Ａの動作を規制する操作部材である締結部材としてのネジ４Ｌとネジ４Ｒを備える。端子台固定板３Ａは、第１の側板部３０Ｌの長穴３２Ｌにネジ４Ｌが挿入され、第１の側板部３０Ｌの長穴３２Ｌに挿入されたネジ４Ｌが、本体部１０Ａの第１の側面１０Ｌに形成された図示しないネジ穴に締結される。
【００２８】
ネジ４Ｌは、本体部１０Ａの第１の側面１０Ｌ側に露出しているので、第１の側面１０Ｌ側から、締める作業及び緩める作業が可能である。そして、ネジ４Ｌを本体部１０Ａに締め付けることで、端子台固定板３Ａの第１の側板部３０Ｌが本体部１０Ａに固定される。また、ネジ４Ｌの締結を解除する、例えば、ネジ４Ｌを緩めるか外すことで、第１の側板部３０Ｌの上下動が可能となる。
【００２９】
同様に、端子台固定板３Ａは、第２の側板部３０Ｒの長穴３２Ｒにネジ４Ｒが挿入され、第２の側板部３０Ｒの長穴３２Ｒに挿入されたネジ４Ｒが、本体部１０Ａの第２の側面１０Ｒに形成された図示しないネジ穴に締結される。
【００３０】
ネジ４Ｒは、本体部１０Ａの第２の側面１０Ｒ側に露出しているので、第２の側面１０Ｒ側から、締める作業及び緩める作業が可能である。そして、ネジ４Ｒを本体部１０Ａに締め付けることで、端子台固定板３Ａの第２の側板部３０Ｒが本体部１０Ａに固定される。また、ネジ４Ｒの締結を解除する、例えば、ネジ４Ｌを緩めるか外すことで、第２の側板部３０Ｒの上下動が可能となる。
【００３１】
図６及び図７は、第１の実施の形態の浴室換気乾燥暖房機の設置作業例を示す正面図である。第１の実施の形態の浴室換気乾燥暖房機１Ａは、工場出荷時等は、図１及び図２と、図３に実線で示すように、端子台２Ａの固定ピン２３が端子台固定板３Ａの固定穴３１Ｃに嵌められ、端子台固定板３Ａがネジ４Ｌとネジ４Ｒで本体部１０Ａに固定されている。これにより、端子台２Ａは、配線接続口２０が本体部１０Ａの中間に向けられている。
【００３２】
浴室換気乾燥暖房機１Ａの設置作業で、点検口１０３の向きに応じて端子台２Ａの向きを変えるには、点検口１０３に面した側のネジ４Ｌまたはネジ４Ｒを操作すれば良い。
【００３３】
すなわち、本体部１０Ａの第１の側面１０Ｌが点検口１０３に向けられる配置では、点検口１０３からネジ４Ｌ及び端子台固定板３Ａの第１の側板部３０Ｌが見える。そこで、端子台固定板３Ａの第２の側板部３０Ｒを固定するネジ４Ｒは緩めずに、第１の側板部３０Ｌを固定するネジ４Ｌを緩めると、上板部３０Ｕを撓ませたり変位させながら、長穴３２Ｌの長さの範囲で図６に示すように第１の側板部３０Ｌを上下方向に変位させることができる。
【００３４】
これにより、端子台固定板３Ａの第１の側板部３０Ｌを端子台回転位置まで上昇させて、上板部３０Ｕを持ち上げることで、端子台２Ａの固定ピン２３が、端子台固定板３Ａの固定穴３１Ｃから外れ、端子台２Ａは、支点軸２２を軸に回転動作が可能となる。端子台２Ａは、点検口１０３から見て手前側である図６の矢印Ｌ方向に、支点軸２２を軸に回転させ、固定ピン２３が端子台固定板３Ａの固定穴３１Ｌに嵌る向きとする。なお、端子台２Ａのカバー２１の両側面、または固定ピン２３が設けられた端部側等に、本体部１０Ａの第１の側面１０Ｌの側と、第２の側面１０Ｒの側から操作可能な図示しない把持部等を備えて、回転作業が容易に行なえるようにしても良い。
【００３５】
端子台２Ａの向きを変えた後、端子台固定板３Ａの第１の側板部３０Ｌを端子台固定位置まで下降させて、端子台２Ａの固定ピン２３に、端子台固定板３Ａの固定穴３１Ｌを嵌めることで、端子台２Ａは、配線接続口２０が、本体部１０Ａの第１の側面１０Ｌ側に向けられ、点検口１０３から見えるようになる。そして、ネジ４Ｌを本体部１０Ａに締め付けることで、端子台固定板３Ａの第１の側板部３０Ｌが、端子台固定位置で本体部１０Ａに固定される。
【００３６】
このように、端子台２Ａを点検口１０３の向きに合わせて本体部１０Ａの第１の側面１０Ｌ側に向けたい場合は、点検口１０３から操作が可能なネジ４Ｌを緩め、端子台固定板３Ａの第１の側板部３０Ｌを端子台回転位置に持ち上げることで、端子台２Ａが点検口１０３側を向くように回転させることが可能である。また、向きを変えた端子台２Ａは、端子台固定板３Ａの第１の側板部３０Ｌを端子台固定位置に下降させ、ネジ４Ｌを締めることで、所望の向きで固定される。
【００３７】
一方、本体部１０Ａの第２の側面１０Ｒが点検口１０３に向けられる配置では、点検口１０３からネジ４Ｒ及び端子台固定板３Ａの第２の側板部３０Ｒが見える。そこで、端子台固定板３Ａの第１の側板部３０Ｌを固定するネジ４Ｌは緩めずに、第２の側板部３０Ｒを固定するネジ４Ｒを緩めると、上板部３０Ｕを撓ませたり変位させながら、長穴３２Ｒの長さの範囲で図７に示すように第２の側板部３０Ｒを上下方向に変位させることができる。
【００３８】
これにより、端子台固定板３Ａの第２の側板部３０Ｒを端子台回転位置まで上昇させて、上板部３０Ｕを持ち上げることで、端子台２Ａの固定ピン２３が、端子台固定板３Ａの固定穴３１Ｃから外れ、端子台２Ａは、支点軸２２を軸に回転動作が可能となる。端子台２Ａは、点検口１０３から見て手前側である図７の矢印Ｒ方向に、支点軸２２を軸に回転させ、固定ピン２３が端子台固定板３Ａの固定穴３１Ｒに嵌る向きとする。
【００３９】
端子台２Ａの向きを変えた後、端子台固定板３Ａの第２の側板部３０Ｒを端子台固定位置まで下降させて、端子台２Ａの固定ピン２３に、端子台固定板３Ａの固定穴３１Ｒを嵌めることで、端子台２Ａは、配線接続口２０が、本体部１０Ａの第２の側面１０Ｒ側に向けられ、点検口１０３から見えるようになる。そして、ネジ４Ｒを本体部１０Ａに締め付けることで、端子台固定板３Ａの第２の側板部３０Ｒが、端子台固定位置で本体部１０Ａに固定される。
【００４０】
このように、端子台２Ａを点検口１０３の向きに合わせて本体部１０Ａの第２の側面１０Ｒ側に向けたい場合は、点検口１０３から操作が可能なネジ４Ｒを緩め、端子台固定板３Ａの第２の側板部３０Ｒを端子台回転位置に持ち上げることで、端子台２Ａが点検口１０３側を向くように回転させることが可能である。また、向きを変えた端子台２Ａは、端子台固定板３Ａの第２の側板部３０Ｒを端子台固定位置に下降させ、ネジ４Ｒを締めることで、所望の向きで固定される。
【００４１】
これにより、第１の実施の形態の浴室換気乾燥暖房機１Ａでは、浴室換気乾燥暖房機１Ａの本体部１０Ａを天井１００に設置した後に、点検口１０３から見える第１の側面１０Ｌ側からの操作、または、点検口１０３から見える第２の側面１０Ｒ側からの操作で、端子台２Ａを配線作業がしやすい向きに変えることが可能である。
【００４２】
＜第１の実施の形態の浴室換気乾燥暖房機の変形例＞
図８は、第１の実施の形態の浴室換気乾燥暖房機の変形例を示す斜視図である。第１の変形例の浴室換気乾燥暖房機１ＡＡでは、端子台固定板３Ａに誤接続防止壁３３を備える。
【００４３】
誤接続防止壁３３は、端子台２Ａの固定ピン２３が端子台固定板３Ａの固定穴３１Ｃに嵌められ、本体部１０Ａの中間に向けられている配線接続口２０を覆う位置の上板部３０Ｕに設けられる。
【００４４】
第１の変形例の浴室換気乾燥暖房機１ＡＡでは、端子台２Ａを図４に示す向きか図５に示す向きに回転させる作業を行わなければ、端子台２Ａへの配線２００の接続作業が行えない。これにより、浴室換気乾燥暖房機１ＡＡを天井に設置した際に、端子台２Ａを作業がしやすい向きに回転させることなく、配線作業が行われることを防ぎ、確実な配線作業を行えるように作業を誘導することができる。
【００４５】
図９は、第１の実施の形態の浴室換気乾燥暖房機の他の変形例を示す平面図である。第２の変形例の浴室換気乾燥暖房機１ＡＡＡでは、端子台固定板３Ａに中間部分の固定穴は設けず、固定穴３１Ｌまたは固定穴３１Ｒの位置で決められる向きの何れかで、端子台２Ａを固定できるようにする。
【００４６】
例えば、工場出荷時等は、端子台２Ａの固定ピン２３が端子台固定板３Ａの固定穴３１Ｌに嵌められ、端子台固定板３Ａがネジ４Ｌとネジ４Ｒで本体部１０Ａに固定されている。これにより、端子台２Ａは、配線接続口２０が本体部１０Ａの第１の側面１０Ｌ側に向けられている。
【００４７】
これにより、本体部１０Ａの第１の側面１０Ｌを点検口１０３に向けて設置する場合は、端子台２Ａを回転させる作業は不要となる。一方、本体部１０Ａの第２の側面１０Ｒを点検口１０３に向けて設置する場合は、上述したように、点検口１０３から見えるネジ４Ｒを緩めて、端子台固定板３Ａの第２の側板部３０Ｒを端子台回転位置に持ち上げて、端子台２Ａを回転させれば良い。
【００４８】
なお、第２の変形例の浴室換気乾燥暖房機１ＡＡＡでは、端子台固定板３Ａの第１の側板部３０Ｌは、ネジ４Ｌを緩めて持ち上げる作業を不要にできることから、第２の側板部３０Ｒにのみ、図２に示すような長穴３２Ｒを形成する構成としても良い。
【００４９】
図１０は、第１の実施の形態の浴室換気乾燥暖房機の他の変形例を示す平面図である。第３の変形例の浴室換気乾燥暖房機１ＡＡＡＡは、端子台固定板３Ａに、端子台２Ａの支点軸２２を軸とした回転による固定ピン２３の軌跡に沿った円弧で構成される固定長穴３１Ｆを備える。第３の変形例の浴室換気乾燥暖房機１ＡＡＡＡでは、端子台２Ａは、固定ピン２３が端子台固定板３Ａの固定長穴３１Ｆ中の何れの位置でも固定できることから、端子台２Ａを任意の向きで固定できる。
【００５０】
ここで、第３の変形例の浴室換気乾燥暖房機１ＡＡＡＡでは、端子台２Ａを回転させる際に、第１の側板部３０Ｌまたは第２の側板部３０Ｒを上下動させても良いが、上板部３０Ｕを持ち上げなくても、固定長穴３１Ｆに沿って固定ピン２３が移動できることから、ネジ４Ｌまたはネジ４Ｒを緩めた後に、端子台固定板３Ａの第１の側板部３０Ｌまたは第２の側板部３０Ｒを持ち上げなくても良い。このため、第１の側板部３０Ｌ及び第２の側板部３０Ｒには、長穴でなくネジ４Ｌ及びネジ４Ｒが回転可能に挿入される穴部を形成しても良い。
【００５１】
なお、第１の実施の形態の浴室換気乾燥暖房機１Ａでは、端子台２Ａは、配線２００の接続作業の前に、点検口１０３に合わせて本体部１０Ａの第１の側面１０Ｌまたは第２の側面１０Ｒに向けて固定することとした。これに対して、配線作業終了後に、端子台２Ａを図３に実線で示す中間位置に戻しても良い。このような構成とすると、配線２００を図示しない止め具等で本体部１０Ａに固定する場合に、止め具の設置場所を端子台２Ａの中間位置に合わせた１箇所にすることができる。
【００５２】
＜第２の実施の形態の浴室換気乾燥暖房機の構成例＞
図１１及び図１２は、第２の実施の形態の浴室換気乾燥暖房機の一例を示す斜視図である。第２の実施の形態の浴室換気乾燥暖房機１Ｂは、外部からの配線が接続される端子台２Ｂを、本体部１０Ｂの上面部１３に備える。端子台２Ｂは、配線接続口２０を露出させてカバー部材２１で覆われ、支点軸２２を軸にして回転可能に本体部１０Ｂの上面部１３に取り付けられる。
【００５３】
端子台２Ｂは、配線接続口２０に面した一方の端部に第１の固定片部２４Ｌを備えると共に、他方の端部に第２の固定片部２４Ｒを備える。第１の固定片部２４Ｌはネジ穴２５Ｌが形成され、同様に、第２の固定片部２４Ｒはネジ穴２５Ｒが形成されている。
【００５４】
本体部１０Ｂは、上面部１３に端子台固定片部３３Ｒを備える。端子台固定片部３３Ｒは端子台固定部材の一例で、端子台２Ｂを支点軸２２を軸に回転させたときに、端子台２Ｂの第１の固定片部２４Ｌまたは第２の固定片部２４Ｒと対向する位置で、本体部１０Ｂの第２の側面１０Ｒ側の上面部１３に形成される。
【００５５】
浴室換気乾燥暖房機１Ｂは、端子台２Ｂの回転を規制するネジ４Ｒを備える。ネジ４Ｒは操作部材の一例で、端子台固定片部３３Ｒに形成された図示しない貫通穴に、本体部１０Ｂの第２の側面１０Ｒの側から挿入され、端子台２Ｂを所望の向きとすることで、端子台固定片部３３Ｒと対向する第１の固定片部２４Ｌのネジ穴２５Ｌか、第２の固定片部２４Ｒのネジ穴２５Ｒに締結される。ネジ４Ｒは、本体部１０Ｂの第２の側面１０Ｒ側に露出しているので、第２の側面１０Ｒ側から、締める作業及び緩める作業が可能である。
【００５６】
第２の実施の形態の浴室換気乾燥暖房機１Ｂは、工場出荷時等は、図１１に示すように、端子台２Ｂの配線接続口２０を本体部１０Ｂの第１の側面１０Ｌ側に向けることで、第２の固定片部２４Ｒを端子台固定片部３３Ｒに対向させる。そして、端子台固定片部３３Ｒに形成された図示しない貫通穴に、第２の側面１０Ｒの側からネジ４Ｒを挿入し、第２の固定片部２４Ｒのネジ穴２５Ｒに締結する。これにより、端子台２Ｂは、配線接続口２０が本体部１０Ｂの第１の側面１０Ｌ側に向けられて固定されている。
【００５７】
本体部１０Ｂの第１の側面１０Ｌを、図４等で説明した点検口１０３に向けて設置する場合は、端子台２Ｂを回転させる作業は不要となる。一方、本体部１０Ｂの第２の側面１０Ｒを点検口１０３に向けて設置する場合は、端子台２Ｂの配線接続口２０は、点検口１０３から見て反対方向に向いているが、点検口１０３からネジ４Ｒが見える状態となる。
【００５８】
端子台２Ｂの向きを変えるため、点検口１０３から見えるネジ４Ｒを緩めて、端子台２Ｂの第２の固定片部２４Ｒのネジ穴２５Ｒから抜く。これにより、端子台２Ｂは、支点軸２２を軸に回転可能な状態となる。そこで、端子台２Ｂを支点軸２２を軸に回転させ、配線接続口２０を本体部１０Ｂの第２の側面１０Ｒ側に向け、第１の固定片部２４Ｌを端子台固定片部３３Ｒに対向させる。
【００５９】
そして、端子台固定片部３３Ｒに形成された図示しない貫通穴に、第２の側面１０Ｒの側からネジ４Ｒを挿入し、第１の固定片部２４Ｌのネジ穴２５Ｌに締結する。これにより、端子台２Ｂは、図１２に示すように、配線接続口２０が本体部１０Ｂの第２の側面１０Ｒ側に向けられて固定される。
【００６０】
これにより、第２の実施の形態の浴室換気乾燥暖房機１Ｂでは、浴室換気乾燥暖房機１Ｂの本体部１０Ｂを天井１００に設置した後に、本体部１０Ｂの第１の側面１０Ｌを点検口１０３に向けた設置では、端子台２Ｂの回転作業は不要である。また、本体部１０Ｂの第２の側面１０Ｒを点検口１０３に向けた設置では、点検口１０３から見える第２の側面１０Ｒ側からの操作で、端子台２Ｂを配線作業がしやすい向きに変えることが可能である。
【００６１】
＜第３の実施の形態の浴室換気乾燥暖房機の構成例＞
図１３は、第３の実施の形態の浴室換気乾燥暖房機の一例を示す斜視図である。第３の実施の形態の浴室換気乾燥暖房機１Ｃは、外部からの配線が接続される端子台２Ｃを、本体部１０Ｃの上面部１３に備える。端子台２Ｃは、配線接続口２０を露出させてカバー部材２１で覆われ、配線接続口２０が露出する側と反対の一方の端部側が、支点軸２２を軸にして回転可能に本体部１０Ｃの上面部１３に取り付けられる。また、端子台２Ｃは、他方の端部側に固定片部２６を備える。
【００６２】
本体部１０Ｃは、第１の側面１０Ｌ側の上面部１３に端子台固定部材としての第１の端子台固定片部３４Ｌを備える。また、本体部１０Ｃは、第２の側面１０Ｒ側の上面部１３に端子台固定部材としての第２の端子台固定片部３４Ｒを備える。
【００６３】
浴室換気乾燥暖房機１Ｃは、本体部１０Ｃの第１の端子台固定片部３４Ｌに固定されて、端子台２Ｃの回転を規制する端子台固定部材としての第１のストッパ３５Ｌと、本体部１０Ｃの第２の端子台固定片部３４Ｒに固定されて、端子台２Ｃの回転を規制する端子台固定部材としての第２のストッパ３５Ｒを備える。
【００６４】
浴室換気乾燥暖房機１Ｃは、第１のストッパ３５Ｌを本体部１０Ｃの第１の端子台固定片部３４Ｌに固定する操作部材としてのネジ４Ｌと、第２のストッパ３５Ｒを本体部１０Ｃの第２の端子台固定片部３４Ｒに固定する操作部材としてのネジ４Ｒを備える。
【００６５】
ネジ４Ｌは、第１の端子台固定片部３４Ｌに形成された貫通穴３６に、本体部１０Ｃの第１の側面１０Ｌの側から挿入され、第１のストッパ３５Ｌのネジ穴（不図示）に締結されることで、第１のストッパ３５Ｌを固定する。また、ネジ４Ｒは、第２の端子台固定片部３４Ｒに形成された貫通穴（不図示）に、本体部１０Ｃの第２の側面１０Ｒの側から挿入され、第２のストッパ３５Ｒのネジ穴３７に締結されることで、第２のストッパ３５Ｒを固定する。
【００６６】
これにより、端子台２Ｃは、固定片部２６が第１のストッパ３５Ｌと第２のストッパ３５Ｒに挟まれて、配線接続口２０が本体部１０Ｃの中間の向きで固定される。
【００６７】
第３の実施の形態の浴室換気乾燥暖房機１Ｃでは、本体部１０Ｃの第１の側面１０Ｌを、図４等で説明した点検口１０３に向けて設置する場合は、点検口１０３から見えるネジ４Ｌを緩めて外すことで、第１のストッパ３５Ｌを外す。
【００６８】
これにより、端子台２Ｃを、支点軸２２を軸として、配線接続口２０が第１の側面１０Ｌ側に向くように回転できる。配線作業終了後、端子台２Ｃを中間位置に戻し、第１のストッパ３５Ｌを取り付ける。そして、第１の端子台固定片部３４Ｌの貫通穴３６に、本体部１０Ｃの第１の側面１０Ｌの側からネジ４Ｌを挿入し、第１のストッパ３５Ｌのネジ穴（不図示）に締結することで、第１のストッパ３５Ｌを固定する。
【００６９】
これにより、端子台２Ｃは、固定片部２６が第１のストッパ３５Ｌと第２のストッパ３５Ｒに挟まれて、配線接続口２０が本体部１０Ｃの中間の向きで再度固定される。
【００７０】
また、浴室換気乾燥暖房機１Ｃでは、本体部１０Ｃの第２の側面１０Ｒを、図４等で説明した点検口１０３に向けて設置する場合は、点検口１０３から見えるネジ４Ｒを緩めて外すことで、第２のストッパ３５Ｒを外す。
【００７１】
これにより、端子台２Ｃを、支点軸２２を軸として、配線接続口２０が第２の側面１０Ｒ側に向くように回転できる。配線作業終了後、端子台２Ｃを中間位置に戻し、第２のストッパ３５Ｒを取り付ける。そして、第２の端子台固定片部３４Ｒの貫通穴（不図示）に、本体部１０Ｃの第２の側面１０Ｒの側からネジ４Ｒを挿入し、第２のストッパ３５Ｒのネジ穴３７に締結することで、第２のストッパ３５Ｒを固定する。
【００７２】
これにより、端子台２Ｃは、固定片部２６が第１のストッパ３５Ｌと第２のストッパ３５Ｒに挟まれて、配線接続口２０が本体部１０Ｃの中間の向きで再度固定される。
【００７３】
これにより、第３の実施の形態の浴室換気乾燥暖房機１Ｃでは、浴室換気乾燥暖房機１Ｃの本体部１０Ｃを天井に設置した後に、点検口から見える第１の側面１０Ｌ側からの操作、または、点検口から見える第２の側面１０Ｒ側からの操作で、端子台２Ｃを配線作業がしやすい向きに変えることが可能である。
【００７４】
なお、第３の実施の形態の浴室換気乾燥暖房機１Ｃでは、端子台２Ｃを所望の向きに回転させて配線作業を行った後、取り外した第１のストッパ３５Ｌまたは第２のストッパ３５Ｒを再度取り付けることとしたが、端子台２Ｃを回転させた位置で固定できる機構を備えることで、ストッパの再度の取り付けを行わない構成としても良い。
【００７５】
＜第４の実施の形態の浴室換気乾燥暖房機の構成例＞
図１４は、第４の実施の形態の浴室換気乾燥暖房機の一例を示す平面図である。第４の実施の形態の浴室換気乾燥暖房機１Ｄは、外部からの配線が接続される端子台２Ｄを、本体部１０Ｄの上面部１３に備える。端子台２Ｄは、配線接続口２０を露出させてカバー部材２１で覆われ、配線接続口２０が露出する側と反対の一方の端部側が、支点軸２２を軸にして回転可能に本体部１０Ｄの上面部１３に取り付けられる。また、端子台２Ｄは、他方の端部側にナット部材２７を備える。
【００７６】
ナット部材２７は、端子台２Ｄの他方の端部に形成された突起部２７ａが挿入される長穴２７ｂを備え、端子台２Ｄに対して長穴２７ｂの範囲でスライド移動可能に取り付けられている。
【００７７】
本体部１０Ｄは、第１の側面１０Ｌ側の上面部１３に第１の軸受部３８Ｌを備える。また、本体部１０Ｄは、第２の側面１０Ｒ側の上面部１３に第２の軸受部３８Ｒを備える。
【００７８】
浴室換気乾燥暖房機１Ｄは、第１の軸受部３８Ｌと第２の軸受部３８Ｒに回転可能に支持されるネジ部材３９を備える。ネジ部材３９とナット部材２７は端子台移動部材の一例で、例えばボールネジで構成され、ネジ部材３９を回転させることで、ナット部材２７がネジ部材３９の軸方向にスライド移動する。
【００７９】
浴室換気乾燥暖房機１Ｄは、ネジ部材３９を回転させることで、端子台２Ｄを支点軸２２を軸に回転させる操作部材としての第１のネジ部４０Ｌと第２のネジ部４０Ｒを備える。第１のネジ部４０Ｌは、第１の軸受部３８Ｌ側でネジ部材３９と連結され、本体部１０Ｄの第１の側面１０Ｌ側に露出する。また、第２のネジ部４０Ｒは、第２の軸受部３８Ｒ側でネジ部材３９と連結され、本体部１０Ｄの第２の側面１０Ｒ側に露出する。
【００８０】
第４の実施の形態の浴室換気乾燥暖房機１Ｄでは、本体部１０Ｄの第１の側面１０Ｌを、図４等で説明した点検口１０３に向けて設置する場合は、点検口１０３から見える第１のネジ部４０Ｌを所定の方向、例えば時計回りに回すことで、ネジ部材３９の回転動作で端子台２Ｄのナット部材２７を手前側にスライド移動させる。
【００８１】
これにより、端子台２Ｄを、支点軸２２を軸として、配線接続口２０が第１の側面１０Ｌ側に向くように回転できる。
【００８２】
また、浴室換気乾燥暖房機１Ｄでは、本体部１０Ｄの第２の側面１０Ｒを、図４等で説明した点検口１０３に向けて設置する場合は、点検口１０３から見える第２のネジ部４０Ｒを所定の方向、例えば時計回りに回すことで、ネジ部材３９の回転動作で端子台２Ｄのナット部材２７を手前側にスライド移動させる。
【００８３】
これにより、端子台２Ｄを、支点軸２２を軸として、配線接続口２０が第２の側面１０Ｒ側に向くように回転できる。
【００８４】
これにより、第４の実施の形態の浴室換気乾燥暖房機１Ｄでは、浴室換気乾燥暖房機１Ｄの本体部１０Ｄを天井に設置した後に、点検口から見える第１の側面１０Ｌ側からの操作、または、点検口から見える第２の側面１０Ｒ側からの操作で、端子台２Ｄを配線作業がしやすい向きに変えることが可能である。
【００８５】
＜第５の実施の形態の浴室換気乾燥暖房機の構成例＞
図１５は、第５の実施の形態の浴室換気乾燥暖房機の一例を示す平面図である。第５の実施の形態の浴室換気乾燥暖房機１Ｅは、外部からの配線が接続される端子台２Ｅを、本体部１０Ｅの上面部１３に備える。端子台２Ｅは、配線接続口２０を露出させてカバー部材２１で覆われ、配線接続口２０が露出する側と反対の一方の端部側が、支点軸２２を軸にして回転可能に本体部１０Ｅの上面部１３に取り付けられる。また、端子台２Ｃは、他方の端部側に固定片部２８を備える。
【００８６】
本体部１０Ｅは、第１の側面１０Ｌ側の上面部１３に端子台固定部材としての第１の端子台固定片部４１Ｌを備える。また、本体部１０Ｅは、第２の側面１０Ｒ側の上面部１３に端子台固定部材としての第２の端子台固定片部４１Ｒを備える。
【００８７】
浴室換気乾燥暖房機１Ｅは、端子台２Ｅの回転を規制する操作部材としての第１のネジ４２Ｌと第２のネジ４２Ｒを備える。第１のネジ４２Ｌは、第１の端子台固定片部４１Ｌに形成されたネジ穴（不図示）に、本体部１０Ｅの第１の側面１０Ｌの側から締結される。また、第２のネジ４２Ｒは、第２の端子台固定片部４１Ｒに形成されたネジ穴（不図示）に、本体部１０Ｅの第２の側面１０Ｒの側から締結される。
【００８８】
これにより、端子台２Ｅは、固定片部２８が第１のネジ４２Ｌと第２のネジ４２Ｒに挟まれて、配線接続口２０が本体部１０Ｅの中間の向きで固定される。なお、第１のネジ４２Ｌと第２のネジ４２Ｒは、頭部に近い部分にのみネジが切られている構成でも良い。
【００８９】
第５の実施の形態の浴室換気乾燥暖房機１Ｅでは、本体部１０Ｅの第１の側面１０Ｌを、図４等で説明した点検口１０３に向けて設置する場合は、点検口１０３から見える第１のネジ４２Ｌを緩めて外す。
【００９０】
これにより、端子台２Ｅを、支点軸２２を軸として、配線接続口２０が第１の側面１０Ｌ側に向くように回転できる。配線作業終了後、端子台２Ｅを中間位置に戻し、第１のネジ４２Ｌを第１の端子台固定片部４１Ｌに締結する。
【００９１】
これにより、端子台２Ｅは、固定片部２８が第１のネジ４２Ｌと第２のネジ４２Ｒに挟まれて、配線接続口２０が本体部１０Ｅの中間の向きで再度固定される。
【００９２】
また、浴室換気乾燥暖房機１Ｅでは、本体部１０Ｅの第２の側面１０Ｒを、図４等で説明した点検口１０３に向けて設置する場合は、点検口１０３から見える第２のネジ４２Ｒを緩めて外す。
【００９３】
これにより、端子台２Ｅを、支点軸２２を軸として、配線接続口２０が第２の側面１０Ｒ側に向くように回転できる。配線作業終了後、端子台２Ｅを中間位置に戻し、第２のネジ４２Ｒを第２の端子台固定片部４１Ｒに締結する。
【００９４】
これにより、端子台２Ｅは、固定片部２８が第１のネジ４２Ｌと第２のネジ４２Ｒに挟まれて、配線接続口２０が本体部１０Ｅの中間の向きで再度固定される。
【００９５】
これにより、第５の実施の形態の浴室換気乾燥暖房機１Ｅでは、浴室換気乾燥暖房機１Ｅの本体部１０Ｅを天井に設置した後に、点検口から見える第１の側面１０Ｌ側からの操作、または、点検口から見える第２の側面１０Ｒ側からの操作で、端子台２Ｅを配線作業がしやすい向きに変えることが可能である。
【００９６】
上述した各実施の形態の浴室換気乾燥暖房機では、例えば、浴室換気乾燥暖房機１Ａに配線２００を接続する電気工事業者は、浴室換気乾燥暖房機１Ａの設置向きに応じて、点検口１０３から見えるネジ４Ｌまたはネジ４Ｒを緩め、端子台固定板３Ａを持ち上げて端子台２Ａを回転させることで、端子台２Ａの配線接続口２０を点検口１０３に向けることができる。
【００９７】
従って、浴室換気乾燥暖房機１Ａを浴室に設置する施工業者は、浴室換気乾燥暖房機１Ａの設置の向きによらず、端子台２Ａを操作する必要がなく、施工業者が浴室換気乾燥暖房機１Ａの設置の向きに応じて端子台２Ａを所定の向きに回転させる作業を忘れるということがなくなり、施工業者の作業の負担を軽減することができる。
【００９８】
そして、浴室換気乾燥暖房機１Ａを浴室に設置する施工業者と、浴室換気乾燥暖房機１Ａに配線２００を接続する電気工事業者の間で、作業の責任区分を明確にすることができる。
【産業上の利用可能性】
【００９９】
本発明は、住宅等の建物の天井に設置される空調装置や換気装置等の設備機器に適用される。
【図面の簡単な説明】
【０１００】
【図１】第１の実施の形態の浴室換気乾燥暖房機の一例を示す斜視図である。
【図２】第１の実施の形態の浴室換気乾燥暖房機の一例を示す斜視図である。
【図３】第１の実施の形態の浴室換気乾燥暖房機の一例を示す平面図である。
【図４】第１の実施の形態の浴室換気乾燥暖房機の設置例を示す平面図である。
【図５】第１の実施の形態の浴室換気乾燥暖房機の設置例を示す平面図である。
【図６】第１の実施の形態の浴室換気乾燥暖房機の設置作業例を示す正面図である。
【図７】第１の実施の形態の浴室換気乾燥暖房機の設置作業例を示す正面図である。
【図８】第１の実施の形態の浴室換気乾燥暖房機の変形例を示す斜視図である。
【図９】第１の実施の形態の浴室換気乾燥暖房機の他の変形例を示す平面図である。
【図１０】第１の実施の形態の浴室換気乾燥暖房機の他の変形例を示す平面図である。
【図１１】第２の実施の形態の浴室換気乾燥暖房機の一例を示す斜視図である。
【図１２】第２の実施の形態の浴室換気乾燥暖房機の一例を示す斜視図である。
【図１３】第３の実施の形態の浴室換気乾燥暖房機の一例を示す斜視図である。
【図１４】第４の実施の形態の浴室換気乾燥暖房機の一例を示す平面図である。
【図１５】第５の実施の形態の浴室換気乾燥暖房機の一例を示す平面図である。
【符号の説明】
【０１０１】
１Ａ〜１Ｅ・・・浴室換気乾燥暖房機、１０Ａ〜１０Ｅ・・・本体部、１０Ｌ・・・第１の側面、１０Ｒ・・・第２の側面、１３・・・上面部、１００・・・天井、１０３・・・点検口、２Ａ〜２Ｅ・・・端子台、２２・・・支点軸、２３・・・固定ピン、３Ａ・・・端子台固定板、３１Ｃ，３１Ｌ，３０Ｒ・・・固定穴、３２Ｌ，３２Ｒ・・・長穴、４Ｌ，４Ｒ・・・ネジ
【図１】
0005125746.tif 000002
【図２】
0005125746.tif 000003
【図３】
0005125746.tif 000004
【図４】
0005125746.tif 000005
【図５】
0005125746.tif 000006
【図６】
0005125746.tif 000007
【図７】
0005125746.tif 000008
【図８】
0005125746.tif 000009
【図９】
0005125746.tif 000010
【図１０】
0005125746.tif 000011
【図１１】
0005125746.tif 000012
【図１２】
0005125746.tif 000013
【図１３】
0005125746.tif 000014
【図１４】
0005125746.tif 000015
【図１５】
0005125746.tif 000016